(57)【要約】      （修正有）【課題】バックラインを備えたゴルフクラブ用グリップにおいて、使用者がバックラインの位置を感じることにより、フェイスの向きを正確把握することができるゴルフクラブ用グリップを提供する。【解決手段】ゴルフクラブのシャフトに外装可能な筒状に形成されたグリップ本体２を備え、少なくともシャフトへの装着時に径方向外側に膨出し且つシャフト方向に延びるバックライン６がグリップ本体２に一体的に形成され、グリップ本体２の周方向に沿って延びる円弧状のグリップ溝８ａがシャフト方向に複数並べて形成され、グリップ溝が形成された範囲に、バックラインを配置した。【選択図】図１
0003214213.tif 000002
【実用新案登録請求の範囲】
【請求項１】
ゴルフクラブのシャフト（１）に外装可能な筒状に形成されたグリップ本体（２）を備え、
少なくともシャフト（１）への装着時に径方向外側に膨出し且つ該シャフト方向に延びるバックライン（６）が前記グリップ本体（２）に一体的に形成され、
前記グリップ本体（２）の周方向に沿って延びる円弧状のグリップ溝（８ａ）がシャフト方向に複数並べて形成され、
前記グリップ本体（２）における上記グリップ溝（８ａ）が形成された範囲に、前記バックライン（６）を配置した
ゴルフクラブ用グリップ。
【請求項２】
前記グリップ溝（８ａ）は、グリップ本体（２）の軸方向と直交するように形成した
請求項１に記載のゴルフクラブ用グリップ。
【請求項３】
前記グリップ溝（８ａ）は、前記バックライン（６）を中心として、グリップ本体（２）の外周の７０〜９０°の範囲に形成された
請求項１又は２の何れかに記載のゴルフクラブ用グリップ。
【請求項４】
前記グリップ本体（２）の外周面側には、滑り止め部（７）と、軸方向に沿って形成されるパーティングラインとが形成され、
前記滑り止め部（７）は、前記パーティングラインを避けるように設けられた
請求項１乃至３の何れかに記載のゴルフクラブ用グリップ。
【請求項５】
前記グリップ本体（２）の外周面に、前記バックラインの位置を示すマーカ（９）が形成された
請求項１乃至４の何れかに記載のゴルフクラブ用グリップ。
【請求項６】
前記マーカ（９）は、前記バックライン（６）の反対側に配置されるとともに、グリップ本体（２）の長手方向両端側に一対設けられた
請求項５に記載のゴルフクラブ用グリップ。
【請求項７】
前記マーカ（９）は、前記シャフト（１）に装着されたグリップ本体（２）のバックライン（６）の位置を調整できるように構成された
請求項５又は６の何れかに記載のゴルフクラブ用グリップ。
【考案の詳細な説明】
【技術分野】
【０００１】
この考案は、バックラインを備えたゴルフクラブ用グリップに関する。
【背景技術】
【０００２】
ゴルフクラブのシャフトに外装可能な筒状に形成されたグリップ本体を備え、少なくともシャフトへの装着時に径方向外側に膨出し且つ該シャフト方向に延びるバックラインが前記グリップ本体に一体的に形成され、該バックライン上に凹凸部が形成された特許文献１に記載のゴルフクラブ用グリップが従来公知である。
【先行技術文献】
【特許文献】
【０００３】
【特許文献１】特開２００７−１８５２５２号公報
【考案の概要】
【考案が解決しようとする課題】
【０００４】
上記文献のゴルフクラブ用グリップは、前記バックライン側の外側表面に形成された凹凸部に合わせてグリップを握ることによって、グリップを毎回同じ位置でより強く握ることができるが、グリップを握る位置が略固定されるものであって、状況に応じてグリップを短く握ったり、軸方向にずらして握ったりすることがし難い場合があるという課題があった。
【０００５】
本考案では、バックラインを備えたゴルフクラブ用グリップにおいて、使用者がバックラインの位置を感じることにより、フェイスの向きを正確把握することができるゴルフクラブ用グリップを提供することを課題としている。
【課題を解決するための手段】
【０００６】
上記課題を解決するため本考案は、第１に、ゴルフクラブのシャフトに外装可能な筒状に形成されたグリップ本体２を備え、少なくともシャフト１への装着時に径方向外側に膨出し且つ該シャフト方向に延びるバックライン６が前記グリップ本体２に一体的に形成され、前記グリップ本体２の周方向に沿って延びる円弧状のグリップ溝８ａがシャフト方向に複数並べて形成され、前記グリップ本体２における上記グリップ溝８ａが形成された範囲に、前記バックライン６を配置したことを特徴としている。
【０００７】
第２に、前記グリップ溝８ａは、グリップ本体２の軸方向と直交するように形成したことを特徴としている。
【０００８】
第３に、前記グリップ溝８ａは、前記バックライン６を中心として、グリップ本体２の外周の７０〜９０°の範囲に形成されたことを特徴としている。
【０００９】
第４に、前記グリップ本体２は、前記グリップ本体２の外周面側には、滑り止め部７と、軸方向に沿って形成されるパーティングラインとが形成され、前記滑り止め部７は、前記パーティングラインを避けるように設けられた
ことを特徴としている。
【００１０】
第５に、前記グリップ本体２の外周面には、前記バックラインの位置を示すマーカ９が形成されたことを特徴としている。
【００１１】
第６に、前記マーカ９は、前記バックライン６の反対側に配置されるとともに、グリップ本体２の長手方向両端側に一対設けられたことを特徴としている。
【００１２】
第７に、前記マーカ９は、前記シャフト１に装着されたグリップ本体２のバックライン６の位置を調整できるように構成されたことを特徴としている。
【考案の効果】
【００１３】
以上のように構成される本考案は、グリップ本体の周方向に沿って形成されるグリップ溝を、前記バックラインに沿って並べて複数設けたことにより、該グリップ溝がグリップを握った際の指に沿って形成されているため、手先の感覚でバックラインの位置を把握することができるとともに、該グリップを握った手からグリップが抜ける方向のグリップ力をより向上させることができる。
【００１４】
また、前記グリップ溝は、グリップ本体の軸方向と直交するように形成したものによれば、グリップ本体のグリップ力がより向上する。
【００１５】
また、前記グリップ溝は、前記バックラインを中心として、グリップ本体の外周の７０〜９０°の範囲に形成されたものによれば、グリップを握って構えた場合にグリップ溝が使用者の視界に入らないため、使用者が集中する際の妨げにならない。
【００１６】
なお、前記グリップ本体２は、前記グリップ本体の外周面側には、滑り止め部と、軸方向に沿って形成されるパーティングラインとが形成され、前記滑り止め部は、前記パーティングラインを避けるように設けられたものによれば、使用者がグリップを握った際に前記グリップ本体に形成されるパーティングラインが目立たなくなるため、スイング時にパーティングラインが目立って集中力を阻害することを防止できる。
【００１７】
また、前記グリップ本体の外周面に、前記バックラインの位置を示すマーカが形成されたものによれば、グリップ本体にシャフトを挿入する際にバックラインの位置が把握し易くなる。
【００１８】
また、前記マーカは、前記バックラインの反対側に配置されるとともに、グリップ本体の長手方向両端側に一対設けられたものによれば、前記マーカが必要以上に目立たないように配置されているため、使用者がグリップを握ってスイングする際に、集中の妨げにならない。
【００１９】
なお、前記マーカは、前記シャフトに装着されたグリップ本体のバックラインの位置を調整できるように構成されたものによれば、グリップ本体を所定の基準位置から時計回り又は反時計回りに予め定めた所定角度ずらした状態でシャフトを挿入することができる。
【図面の簡単な説明】
【００２０】
【図１】（Ａ）及び（Ｂ）は、ゴルフクラブ用グリップを示した正面図及び背面図である。
【図２】（Ａ）及び（Ｂ）は、ゴルフクラブ用グリップを示した中央横断面図及びＡ−Ａ断面図である。
【図３】（Ａ）及び（Ｂ）は、ゴルフクラブ用グリップをシャフトに装着した状態を示した中央横断面図及びＢ−Ｂ断面図である。
【図４】バックライン形状と、溝部の形成範囲を示した図である。
【図５】マーカの構成を示した要部拡大図である。
【図６】（Ａ）乃至（Ｃ）は、スクエア位置からバックラインを反時計回りにずらしてシャフトに装着した状態と、スクエア位置でシャフトに装着した状態と、スクエア位置からバックラインを時計回りにずらしてシャフトに装着した状態とを示した図である。
【図７】（Ａ）乃至（Ｃ）は、スクエア位置から反時計回りにずらして装着したグリップを握った状態と、スクエア位置で装着されたグリップを握った状態と、スクエア位置から時計回りにずらして装着したグリップを握った状態とを示した図である。
【図８】（Ａ）は、ゴルフクラブ用グリップの具体的な構成を示した全体平面図であり、（Ｂ）は、グリップ本体表面に形成された滑り止めの具体的な構成を示した要部拡大図である。
【図９】（Ａ）は、グリップ成型前の金型の状態を示した図であり、（Ｂ）は、成型されたグリップを金型から取外した状態を示した図である。
【考案を実施するための形態】
【００２１】
図１（Ａ）及び（Ｂ）は、ゴルフクラブ用グリップを示した正面図及び背面図であり、図２（Ａ）及び（Ｂ）は、ゴルフクラブ用グリップを示した中央横断面図及びＡ−Ａ断面図であり、図３（Ａ）及び（Ｂ）は、ゴルフクラブ用グリップをシャフトに装着した状態を示した中央横断面図及びＢ−Ｂ断面図である。
【００２２】
本考案のゴルフクラブ用グリップは、ゴルフクラブのシャフト１の端部に装着されて且つ端部に向かって幅広となる円筒状に形成されたグリップ本体２を備え、該グリップ本体２は、前記シャフト１が挿通される挿入口３と、グリップ本体２のバット側端部を閉口するグリップエンド（端部）４と、グリップ本体２の外周壁側の一部を膨出させることによって該グリップ本体２の軸方向に沿って形成されたバックライン６とが一体形成され、全体が弾性変形可能な部材で構成されている。
【００２３】
また、該グリップ本体２の外周面側には、全体に亘って所定の形状の溝が凹設されることで滑り止め部７が形成されており、特に、前記バックライン６上には具体的には後述する溝部８が形成されている。さらに、該グリップ本体２のバックライン６と反対側の外周面には、シャフト１にグリップ本体２（バックライン６）を正確にセットするためのマーカ９が設けられている（図１（Ａ）及び（Ｂ）参照）。
【００２４】
前記バックライン６は、筒状のグリップ本体２の内周壁側の一部を膨出させることによって形成されており（図２参照）、グリップ本体２内にシャフト１を挿通させることによって、内周壁側に膨出されたバックライン６がグリップ本体２の外周壁側に押出される（図３参照）。言い換えると、前記バックライン６は、グリップ本体２がシャフトに装着される前は、筒状の内周面側に膨出されており、グリップ本体２がシャフト１側に装着されることによって、グリップ本体２の外周面側に膨出するように構成されている。
【００２５】
該構成によれば、グリップ本体２がシャフト１に装着されていない状態では、バックライン６がグリップ本体２の外周面側に突出しないため、グリップをよりスペース効率良く収納することができる。
【００２６】
また、前記バックライン６は、グリップ本体２をシャフト１に装着することによって、グリップ本体２の内周面側から外周面側に押出されるため、グリップ本体２自体の弾性力（復元力）によってグリップがシャフト側により密着される。これにより、シャフト１側に装着されたグリップが軸回転等することなく、より安定する。以下、バックライン６に形成される前記溝部８について説明する。
【００２７】
次に、図１乃至４に基づき、溝部について説明する。図４は、バックライン形状と、溝部の形成範囲を示した図である。前記溝部８は、前記バックライン６と略直交するように凹設されたグリップ溝８ａを、該バックライン６に沿って所定間隔で配置することによって構成されている（図１（Ｂ）参照）。
【００２８】
また、該溝部８は、その幅方向が前記グリップエンド４側から挿入口３側に向かって次第に幅狭となるように形成されており（図１（Ｂ）参照）、該溝部８を形成するグリップ溝８ａの長さは、グリップ本体２をグリップエンド４（挿入口３）側から見た場合に、中心角αがバックラインを中心として７０〜９０°、さらに好ましくは７５〜８０°の範囲となるように構成されている（図４参照）。
【００２９】
このとき、該溝部８は、グリップ本体２の外周面側に膨出する前記バックラインの幅よりも幅広となるように形成されている。
【００３０】
該構成によれば、前記溝部８を構成するグリップ溝８ａが、グリップ本体を握る指に沿って凹設されるため、使用者にバックライン６の位置を正確に把握させることができる。また、前記グリップ溝８ａは、使用者がゴルフクラブをスイングした際にグリップが手から抜け出る方向と直交する方向に凹設されているため、手からグリップが抜け難くなる。
【００３１】
さらに、前記溝部８は、グリップを握った際にグリップ本体２の下面側に配置されて使用者側から視認されない範囲に収められるため、使用者がゴルフクラブを構えた場合に、前記滑り止め部７と異なるデザインの溝部８が視界に入ることで集中力が阻害されることを防止することができる（図１（Ａ）及び図４参照）。
【００３２】
次に、図５乃至９に基づき、マーカについて説明する。図５は、マーカの構成を示した要部拡大図であり、図６（Ａ）乃至（Ｃ）は、スクエア位置からバックラインを反時計回りにずらしてシャフトに装着した状態と、スクエア位置でシャフトに装着した状態と、スクエア位置からバックラインを時計回りにずらしてシャフトに装着した状態とを示した図であり、図７（Ａ）乃至（Ｃ）は、スクエア位置から反時計回りにずらして装着したグリップを握った状態と、スクエア位置で装着されたグリップを握った状態と、スクエア位置から時計回りにずらして装着したグリップを握った状態とを示した図であり、図８（Ａ）は、ゴルフクラブ用グリップの具体的な構成を示した全体平面図であり、図８（Ｂ）は、グリップ本体表面に形成された滑り止め部の具体的な構成を示した要部拡大図であり、図９（Ａ）は、グリップ成型前の金型の状態を示した図であり、図９（Ｂ）は、成型されたグリップを金型から取外した状態を示した図である。
【００３３】
前記マーカ９は、前記グリップ本体２の外周面側であって且つ前記バックライン６の反対側に配置されており、グリップ本体２の挿入口（チップ側）３側のチップ側マーカ９Ａと、グリップエンド（バット）４側のバット側マーカ９Ｂとを備えている（図１（Ａ）及び図５参照）。
【００３４】
具体的には、前記バット側マーカ９Ｂは、一対の菱形の目印をグリップ本体２の円周方向に並べて配置して構成されており、チップ側マーカ９Ａは、バット側に形成した菱形の目印をグリップ本体の周方向に縮小したものが設けられている。このとき、該チップ側マーカ９Ａの縮小比率は、バット側マーカ９Ｂのグリップ本体２外周の長さと、チップ側マーカのグリップ本体２の外周の長さの比率に応じて設定されている。
【００３５】
これにより、バット側マーカ９Ｂの隣接する菱形の連結部と、チップ側マーカの隣接する菱形の連結部とを結ぶことで示される軸方向の基準線Ｘ０は、前記グリップ本体２の周方向反対側に、バックライン６の中心線が配置されていることを示している（図５参照）。
【００３６】
該構成によれば、前記基準線Ｘ０を、フェイス面５側のスコアライン５ａと平行となる位置（スクエア位置）に合わせた状態で、前記グリップ本体２にシャフト１を取付けることによって、前記スコアライン５ａが飛球線に対して直角となるように位置させることができる（図６（Ｂ）、図７（Ｂ）参照）。また、使用者は、前記バックライン６の感触を頼りに毎回同じ位置でグリップを握ることができるため、スコアライン５ａを常にシャフトと平行にした状態で構えることができる。
【００３７】
さらに、各マーカ９は、左側の菱形の軸方向の頂点同士を結ぶことで示される軸方向の線と、右側の菱形の軸方向の頂点同士を結ぶことで示される軸方向の線とからなる一対の第１調整軸Ｘ１ａ，Ｘ１ｂと、左側の菱形の左端側同士を結ぶことで示される軸方向の線と、右側の菱型の右端側同士を結ぶことで示される軸方向の線とからなる一対の第２調整軸Ｘ２ａ，Ｘ２ｂとを示すことができるように構成されている（図５参照）。
【００３８】
該構成によれば、グリップに取付けられるシャフト１の軸及びフェイス面５側のスコアライン５ａに、前記第１調整軸Ｘ１ａ，Ｘ１ｂを合わせることにより、バックライン６の位置を予め定めた所定角度（図示する例では１０°）ずらすことができる。同様に、グリップに取付けられるシャフト１の軸及びスコアライン５ａに、前記第２調整軸Ｘ２ａ，Ｘ２ｂを合わせることにより、バックライン６の位置を予め定めた所定角度（図示する例では２０°）ずらすことができる。
【００３９】
ちなみに、グリップ本体２をグリップエンド側から見た場合において、前記スコアライン５ａが飛球線に対して直角となっている状態から、グリップ本体２を反時計回りにずらして、前記第１調整軸Ｘ１ａ又は第２調整軸Ｘ２ａが、前記スコアライン５ａと平行となる位置でグリップ本体２をシャフト１側に装着すると（図６（Ａ）参照）、使用者は、バックライン６が使用者と正対するようにグリップを握ることによって、フェイス面５が常に一定角度で開いた状態（オープンフェイス）で構えることができる（図７（Ａ）参照）。
【００４０】
その一方で、グリップ本体２をグリップエンド側から見た場合において、前記スコアライン５ａが飛球線に対して直角となっている状態から、グリップ本体２を時計回りにずらして、前記第２調整軸Ｘ１ｂ又は第２調整軸Ｘ２ｂが、前記スコアライン５ａと平行となる位置でグリップ本体２をシャフト１側に装着すると（図６（Ｃ）参照）、使用者は、バックライン６が使用者と正対するようにグリップを握ることによって、フェイス面５が常に一定角度で閉じた状態（クローズフェイス）で構えることができる（図７（Ｃ）参照）。
【００４１】
また、前記グリップ本体の外周面は、図８に示されるように、前記マーカ以外の部分に、所定形状の溝を配置した滑り止め部７が設けられている。該滑り止め部７は、図示する例では、縦長の十字状の溝をグリップ本体の外周面の周方向に隣接させて並べられた第１凹部７ａと、グリップ本体２の軸方向に隣接する第１凹部７ａの間に配置されて且つ第１凹部よりも間引いてグリップ本体２の周方向に並べて設けられた第２凹部７ｂとから構成されている。
【００４２】
該構成によれば、前記滑り止めの中に配置される前記マーカ９は、使用者がグリップを握ってスイングする場合にあまり目立つことがないため、特に、上記のようにグリップ本体２を基準線Ｘ０と前記スコアライン５ａとが平行となる位置（スクエア位置）から時計回り又は反時計回りに軸回転させて装着したことによって、マーカ９の位置が中心からずれている状態でグリップが握られている場合であっても、該マーカ９の存在が使用者の集中力を阻害しないように構成されている。
【００４３】
ちなみに、上述の構成のグリップは、図９に示されるように、専用の金型１１，１２に原材料を射出・充填することによって成型されている。具体的に前記金型１１は、中央で分割形成されてそれぞれ円弧上の溝が形成された一対の外形用金型１１Ａ，１１Ｂと、該外形用金型１１Ａ，１１Ｂの内側に挿通されてグリップ内周面及び前記バックライン６を形成する棒状の内形用金型１２とを備え、軟化する温度に加熱された原材料を金型に射出・充填し、分割形成された金型を取外すことによって上述のグリップが成型される（図９参照）。
【００４４】
このとき、前記金型１１，１２により成型される前記グリップの外周面側には、一対の外形用金型同士の接触面（パーティング面）１３に沿って必ず跡（以下、パーティングライン）が残る。
【００４５】
これに対し、上述のグリップ本体２の外周面側に長手方向に沿って形成されたパーティングラインは、前記グリップ外周面側の滑り止め部７を避けるように配置されている。言い換えると、前記滑り止め部７を構成する各溝部７ａ，７ｂは、グリップの周方向に並べて配置される第１溝部７ａ同士の間のスペースと、グリップの周方向に並べて配置される第２溝部７ｂ同士の間のスペースに、前記パーティングラインが配置されるように構成されている。
【００４６】
該構成によれば、グリップの外周面に形成されるパーティングラインが前記滑り止め部７を構成する各溝部７ａ，７ｂ間に配置されることによって、該パーティングラインがより目立たなくなるため、使用者がグリップを握ってスイングする際にパーティングラインが目に付くことによって集中力が阻害されることを防止できる。
【符号の説明】
【００４７】
１    シャフト
２    グリップ本体
４    グリップエンド
６    バックライン
８ａ  グリップ溝
９    マーカ
【図１】
0003214213.tif 000003
【図２】
0003214213.tif 000004
【図３】
0003214213.tif 000005
【図４】
0003214213.tif 000006
【図５】
0003214213.tif 000007
【図６】
0003214213.tif 000008
【図７】
0003214213.tif 000009
【図８】
0003214213.tif 000010
【図９】
0003214213.tif 000011